(57)【要約】      （修正有）【課題】表示物を多様な方向から見ることができる表示体を提供する。【解決手段】この表示体Ｈは、立体的な表示物を表示させるためのものであり、透明の樹脂により形成されたブロック状をなす表示体本体１と、この表示体本体の一部分を凹陥して形成された凹陥部と、この凹陥部を形成する凹陥面に着色料を塗布することにより設けられた着色層２とを備えている。そして、表示物が着色層により形成されている。表示体本体が、透明の樹脂により形成されているので、表示物を多様な方向から見ることができる。【選択図】図１
0003190545.tif 000002
【実用新案登録請求の範囲】
【請求項１】
立体的な表示物を表示させるための表示体であって、
透明の樹脂により形成されたブロック状をなす表示体本体と、この表示体本体の一部分を凹陥して形成された凹陥部と、この凹陥部を形成する凹陥面に着色料を塗布することにより設けられた着色層とを備えてなり、
前記表示物が前記着色層により形成されていることを特徴とする表示体。
【請求項２】
前記表示体本体が、天板等の載置面に接する底面と、この底面に対して略直交する前方向に向くように配設された前面と、前記底面に対して略直交する左右方向に向くように配設された左右の側面と、前記底面に対して略直交する後方向に向くように配設された背面とを備えたものであり、前記凹陥部が前記背面側を凹陥して形成されている請求項１記載の表示体。
【請求項３】
前記着色層が、単色の着色料により構成されている請求項１又は２記載の表示体。
【請求項４】
前記表示物が、正面視における左右方向中央部を中心線として左右対称の形状をなしている請求項１、２又は３記載の表示体。
【請求項５】
前記透明の樹脂が、ポリエステル樹脂を使用したものである請求項１、２、３又は４記載の表示体。
【請求項６】
前記表示体本体が、正面視において正方形状をなしている請求項１、２、３、４又は５記載の表示体。
【考案の詳細な説明】
【技術分野】
【０００１】
本考案は、立体的な表示物を表示させるための表示体に関する。
【背景技術】
【０００２】
従来から、表示物を表示させる表示体として種々のものが知られている（例えば特許文献１参照）。
【０００３】
ところで、近時においては、「ホロウマスク錯視」或いは「ホロウフェイス錯視」（以下、「ホロウマスク錯視」という）と称された人間の錯視を利用した表示体として、凹面により構成された表示物を有した表示体が登場している。
【０００４】
ここで、「ホロウマスク錯視」とは、実際には凹形状（凹面状）をなす表示物が、見る者からは凸形状（凸面状）のものとして認識されてしまうという錯視現象をいう。そして、当該ホロウマスク錯視を利用した表示体としては、主に「顔」を含む表示物を凹形状に形成し、専らその表示物の凹形状側を、見る者に対して向けるようにしたものが知られている。
【０００５】
ところが、従来におけるこの種の表示体は、専ら表示物を一方向側すなわち、凹形状側だけから見せるようにしたものがほとんどであり、表示物を見せるための態様がある程度限られたものとなっていた。
【先行技術文献】
【特許文献】
【０００６】
【特許文献１】実用新案登録第３１６４２５７号公報
【考案の概要】
【考案が解決しようとする課題】
【０００７】
本考案は、このような課題に着目してなされたものであって、表示物を多様な方向から見ることができる表示体を提供することにある。
【課題を解決するための手段】
【０００８】
すなわち、本考案の表示体は次の構成をなしている。
【０００９】
請求項１に記載の表示体は、立体的な表示物を表示させるための表示体であって、透明の樹脂により形成されたブロック状をなす表示体本体と、この表示体本体の一部分を凹陥して形成された凹陥部と、この凹陥部を形成する凹陥面に着色料を塗布することにより設けられた着色層とを備えてなり、前記表示物が前記着色層により形成されているものである。
【００１０】
請求項２に記載の表示体は、請求項１に係る構成において、前記表示体本体が、天板等の載置面に接する底面と、この底面に対して略直交する前方向に向くように配設された前面と、前記底面に対して略直交する左右方向に向くように配設された左右の側面と、前記底面に対して略直交する後方向に向くように配設された背面とを備えたものであり、前記凹陥部が前記背面側を凹陥して形成されているものである。
【００１１】
請求項３に記載の表示体は、請求項１又は２に係る構成において、前記着色層が、単色の着色料により構成されているものである。
【００１２】
請求項４に記載の表示体は、請求項１、２又は３に係る構成において、前記表示物が、正面視における左右方向中央部を中心線として左右対称の形状をなしているものである。
【００１３】
請求項５に記載の表示体は、請求項１、２、３又は４に係る構成において、前記透明の樹脂が、ポリエステル樹脂を使用したものである。
【００１４】
請求項６に記載の表示体は、請求項１、２、３、４又は５に係る構成において、前記表示体本体が、正面視において正方形状をなしているものである。
【考案の効果】
【００１５】
以上説明したように本考案によれば、表示物を多様な方向から見ることができる表示体を提供することができるものとなる。
【図面の簡単な説明】
【００１６】
【図１】本考案の一実施形態を示す表示体の正面側から見た斜視図。
【図２】同実施形態を示す背面側から見た斜視図。
【図３】同実施形態を示す正面図。
【図４】図３におけるＡ−Ａ線断面図。
【図５】図３におけるＢ−Ｂ線断面図。
【考案を実施するための形態】
【００１７】
以下、本考案の一実施形態を、図１〜５を参照して説明する。
【００１８】
この実施形態は、本考案を、人物像を立体的な表示物Ｆとして表示させた観賞用の表示体Ｈに適用したものである。表示体Ｈの表示物Ｆとしては、例えば、人間の顔部分を含んだ像（人物像）やマンガやテレビゲーム等のアニメーションで登場した像（キャラクター像）が採用されるが、像としては建物や車や物品等の任意のものを採用することができる。
【００１９】
表示体Ｈは、透明の樹脂により形成されたブロック状をなす表示体本体１と、この表示体本体１の一部分を凹陥して形成された凹陥部１１と、この凹陥部１１を形成する凹陥面１１１に着色料を塗布することにより設けられた着色層２とを備えている。そして、前記表示物Ｆが、前記着色層２により形成されている。以下、詳述する。
【００２０】
表示体本体１は、透明の樹脂により作られた透明ブロック状のもので、具体的には、ポリエステル樹脂が用いられている。この表示体本体１は、正面視において略正方形状をなしている。表示体本体１は、天板等の略水平な載置面に面的に接する底面１ａと、この底面１ａが向く下方向に対して略直交する前方向に向くように配設された前面１ｂと、前記底面１ａが向く下方向に対して略直交する左右方向に向くように配設された左右の側面１ｃ、１ｄと、前記底面１ａが向く下方向に対して略直交する後方向に向くように配設された背面１ｅと、前記前面１ｂが向く前方向及び背面１ｅが向く後方向に対してそれぞれ略直交する上方向に向くように配設された頂面１ｆを備えている。前記凹陥部１１は、前記背面１ｅ側の中間部分を前面１ｂ側に向かって凹陥して形成されている。
【００２１】
表示体本体１は、底面１ａが天板等の載置面に接した状態で起立したブロック状のものである。換言すれば、表示体本体１は、各面が矩形をなす略平行六面体である基本ブロック体の背面１ｅ側を部分的に所定形状に凹ませた形状をなしている。なお、「載置面」とは、物品が載置可能な面であり、主として家具の天板面や床面等が挙げられる。
【００２２】
凹陥部１１は、表示するべき立体物である人物像に対応した形状に凹陥されたものであり、立体物の前側部分の形状に対応した凹陥面１１１が形成されている。表示体本体１は、熱可塑性樹脂であるポリエステル樹脂を所定形状の型（図示せず）に流し入れることにより形成される。具体的には、表示体本体１における凹陥面１１１を有した凹陥部１１は、前記所定形状の型に設けられた任意の立体物形状部分によって形成される。表示体Ｈは、この凹陥部１１の凹陥面１１１に着色層２を配している。
【００２３】
着色層２は、凹陥面１１に任意の色彩の着色料を塗布することにより形成された層状のものであり、この実施形態では、単色の着色料が使用されている。換言すれば、見る者に表示させるべき表示物Ｆは、前記着色層２により形成されている。なお、本実施形態における表示物Ｆは、正面視における左右方向中央部を仮想中心線とした左右対称の形状をなしている。
【００２４】
以上、詳述したように、本実施形態に係る表示体Ｈは、立体的な表示物Ｆを表示させるためのものであって、透明の樹脂により形成されたブロック状をなす表示体本体１と、この表示体本体１の一部分を凹陥して形成された凹陥部１１と、この凹陥部１１を形成する凹陥面１１１に着色料を塗布することにより設けられた着色層２とを備えている。そして、前記表示物Ｆが前記着色層２により形成されている。このため、本実施形態の表示体Ｈは、着色層２により形成された表示物Ｆを全方向から観賞し得るものとなる。
【００２５】
しかも、表示物Ｆが透明ブロック状をなす表示体本体１に設けられているため、表示物Ｆが透明ブロックの内部に入って浮かんでいるように見えることになる。このため、ホロウマスク錯視の現象を目の当たりにしても極端な不自然さが抑制されるものとなり、見る者の快適な観賞を実現することができる。
【００２６】
つまり、表示体本体１は、透明の樹脂により形成されたものであるため、底面１ａ側、前面１ｂ側、左右の側面１ｃ、１ｄ側、頂面１ｆ側のいずれの方向から観察しても透明の樹脂部分を通して着色層２により特定された表示物Ｆを視認することができるとともに、背面１ｅ側から観察しても着色層２により特定された表示物Ｆを直接的に視認することができるものとなる。
【００２７】
そして、底面１ａ側、前面１ｂ側、左右の側面１ｃ、１ｄ側、頂面１ｆ側から観察した場合には、透明樹脂が介在することに伴う光の屈折作用により多様な表示物Ｆの見え方を提供することができ、また、背面１ｅ側から観察した場合には、ホロウマスク錯視の現象を伴った表示物Ｆの見え方を提供し得るものとなっている。すなわち、背面１ｅ側から観察した場合には、実際には凹んでいる凹陥部１１がホロウマスク錯視の現象により、見る者に向かって凸面を構成するかのように誤解させ得るものとなる。したがって、この表示体Ｈであれば、見る者に対して表示物Ｆを全方向から多様な見え方で観賞させることができるものとなる。
【００２８】
前記表示体本体１が、天板等の載置面に接する底面１ａと、この底面１ａに対して略直交する前方向に向くように配設された前面１ｂと、前記底面１ａに対して略直交する左右方向に向くように配設された左右の側面１ｃ、１ｄと、前記底面１ａに対して略直交する後方向に向くように配設された背面１ｅとを備えたものであり、前記凹陥部１１が前記背面１ｅ側を凹陥して形成されている。したがって、表示体本体１は、底面１ａが載置面に接している状態で、前面１ｂ、左右の側面１ｃ、１ｄ、背面１ｅがそれぞれ底面１ａに対して直交する方向を向いたブロック状のものとなり得るため、表示物Ｆが天板等の載置面に対して立設された状態を保持することができ、観賞の用に供し易いものとなるとともに取り扱いに優れたものとなる。
【００２９】
前記着色層２が、単色の着色料により構成されているため、凹陥部１１が複雑な凹陥面１１１を有したものであっても、容易に着色を行うことができ、着色層２を容易に設けることができるものとなる。
【００３０】
前記表示物Ｆが、正面視における左右方向中央部を中心線として左右対称の形状をなしているものであるため、後方から凹陥部１１１を直接的に見た場合にホロウマスク錯視の現象を好適に生じやすくするものとなる。
【００３１】
前記透明の樹脂が、ポリエステル樹脂を使用したものであるため、所望の形状を広く普及した材料により形成することができるものとなる。
【００３２】
前記表示体本体１が、正面視において正方形状をなしているものであるため、観賞するにあたり好適なものとなり、使用者の取り扱いに便宜なものとなる。
【００３３】
なお、本考案は、以上に詳述した実施形態に限定されるものではない。
【００３４】
表示物は、本実施形態で説明したような人物像に限られるものではなく、どのようなものであってもよい。換言すれば、凹陥面を有した凹陥部の形状は任意の形状を採用することができる。
【００３５】
着色層は単色には限られず複数の色彩を使用したものであってもよいのはもちろんのことである。
【００３６】
表示体本体は、ブロック状のもの、すなわち凹陥部を形成することができる程度に一定の塊をなしたものであればよく、種々の形状を採用することができるものである。本考案の表示体本体は、採用される形状により光の屈折度合いを他の形状のものと異ならせることができるものとなり、表示物の見え方を多様なものとすることができる。
【００３７】
上述した実施形態では、表示物が左右対称の形状をなしているものについて説明したが、このようなものには限定されず、左右対称の形状のものでなくてもよい。
【００３８】
上述した実施形態では、樹脂としてポリエステル樹脂を採用するものについて説明したが、かかるものに限定されるものではない。
【００３９】
その他、各部の具体的構成についても上記実施形態に限られるものではなく、本考案の趣旨を逸脱しない範囲で種々変形が可能である。
【符号の説明】
【００４０】
１…表示体本体
２…着色層
１１…凹陥部
１１１…凹陥面
Ｈ…表示体
【図１】
0003190545.tif 000003
【図２】
0003190545.tif 000004
【図３】
0003190545.tif 000005
【図４】
0003190545.tif 000006
【図５】
0003190545.tif 000007